(57)【特許請求の範囲】
【請求項１】
手の親指の付け根部分から指節間関節を覆う筒状の筒部、及び前記筒部から連なり、前記親指の付け根部分から手首までの領域に配される非伸縮性の本体部を有するサポーター本体と、
前記サポーター本体を装着した親指の付け根部分を当該親指の側面側から挟持する挟持部、及び前記挟持部から連なり前記挟持部により挟持された親指を掌側に寄せた状態で保持する保持部を有する非伸縮性の保持部材と、
前記サポーター本体を装着した親指の人差し指側の付け根部分から母指球を交差して前記親指の手首側の付け根部分にわたって取り付けられ、前記親指の付け根部分から手首に至る部分の動きを規制する非伸縮性の規制部材と、を備えることを特徴とする作業用サポーター。
【請求項２】
前記挟持部はＶ字状の一対の挟持片を有することを特徴とする請求項１に記載の作業用サポーター。
【請求項３】
前記規制部材には、前記親指の付け根部分に沿って凹んだ凹み部が形成されていることを特徴とする請求項１又は請求項２に記載の作業用サポーター。
【請求項４】
前記筒部は、衝撃吸収材料からなる衝撃吸収層を備えることを特徴とする請求項１ないし請求項３のいずれか一項に記載の作業用サポーター。
【請求項５】
前記本体部は、掌側に配される掌部と手の甲側に配される甲部とを有し、
前記掌部の小指側の端部に前記サポーター本体を手に固定するベルトを備え、かつ、前記甲部の小指側の端部に前記ベルトを挿通させるベルト通しを備えることを特徴とする請求項１ないし請求項４のいずれか一項に記載の作業用サポーター。
【請求項６】
前記ベルトの外側面には、同一面にループとフックを混在して備える第１の面ファスナー部が設けられていることを特徴とする請求項５に記載の作業用サポーター。
【請求項７】
前記サポーター本体の、前記保持部材および前記規制部材が取り付けられる部分には、第２の面ファスナー部が形成され、
前記保持部材の一方の面には前記第２の面ファスナー部と係合可能な第３の面ファスナー部が形成され、かつ前記規制部材の一方の面には前記第２の面ファスナー部と係合可能な第４の面ファスナー部が形成されていることを特徴とする請求項１ないし請求項６のいずれか一項に記載の作業用サポーター。
【請求項８】
前記本体部はメッシュ材料からなることを特徴とする請求項１ないし請求項７のいずれか一項に記載の作業用サポーター。
【発明の詳細な説明】
【技術分野】
【０００１】
本発明は、作業用サポーターに関する。
【背景技術】
【０００２】
車両などの物を組み立てる製造ラインにおいては、人の手により部品を押し込んだり、部品を打ち込むなどの作業が行われている。このような作業を素手で行うと、手を痛めることがあるため、従来から作業用の手袋を装着して作業が行われている。
【０００３】
しかしながら、親指で部品を押し込む作業（以下、「押込み作業」という）を繰返し行うと、作業用の手袋を装着していても、拇指中手指節間関節（拇指ＭＰ関節ともいう）や、拇指手根中手関節（拇指ＣＭ関節ともいう）に疼痛が生じる等、親指の関節部位における疾患を発生する場合があった。
【０００４】
このような親指の関節における疾患の発生を防止する方法としては、親指を保持固定するサポーターを装着して作業を行うことが考えられる（例えば特許文献１を参照）。
【先行技術文献】
【特許文献】
【０００５】
【特許文献１】特開２００５−７４０７８号公報（図６）
【発明の概要】
【発明が解決しようとする課題】
【０００６】
上記特許文献１に提案されているサポーターは、可撓性材料をサポーター生地に挟んで縫い合わせたものであり、伸縮性のある生地のみで作製したサポーターよりは、保持固定機能が優れているが、上述したような押込み作業により生じる疾患の発生を防止できる程度の保持固定機能を有するものではなかった。また、上記サポーターは、特許文献１の図６に示すように、装着ベルトにより手首に固定されるので、手首の動きが制限され、種々の動きが要求される作業の際に装着するには不向きである。
【０００７】
本発明は上記のような事情に基づいて完成されたものであって、親指の関節における疾患の発生を防止するとともに作業性に優れた作業用サポーターを提供することを目的とする。
【課題を解決するための手段】
【０００８】
上記課題を解決するものとして本発明は、手の親指の付け根部分から指節間関節を覆う筒状の筒部、及び前記筒部から連なり、前記親指の付け根部分から手首までの第１の領域に配される非伸縮性の本体部を有するサポーター本体と、前記サポーター本体を装着した親指の付け根部分を当該親指の側面側から挟持する挟持部、及び前記挟持部から連なり前記挟持部により挟持された親指を掌側に寄せた状態で保持する保持部を有する非伸縮性の保持部材と、前記サポーター本体を装着した親指の人差し指側の付け根部分から母指球を交差して前記親指の手首側の付け根部分にわたって配され、前記親指の付け根部分から手首に至る部分の動きを規制する非伸縮性の規制部材と、を備えることを特徴とする作業用サポーターである。
【０００９】
本発明の作業用サポーターは、例えば以下のようにして、手に装着される。
まず、サポーター本体を手に装着すると、親指の付け根部分から指節間関節が筒部に配され、親指の付け根部分から手首までの領域が非伸縮性の材料から構成される本体部に配される。本発明においては、サポーター本体を手に装着することで、親指の２つの関節（拇指ＭＰ関節、拇指ＣＭ関節）が保持・固定される。
【００１０】
次に、保持部材を取り付けると、親指は、付け根部分の側面側から挟持部に挟持されつつ掌側に寄せられた状態で保持・固定される。
次に、規制部材を取り付けると、非伸縮性材料から構成された規制部材が親指の人差し指側の付け根部分から母指球を交差して親指の手首側の付け根部分に配されることにより、親指の付け根部分から手首に至る部分の動きがさらに規制される。
【００１１】
したがって、本発明の作業用サポーターを装着すると、親指は、サポーター本体により保持・固定された状態で掌側に寄せられて保持固定され、かつ、規制部材により、親指の付け根部分から手首に至る部分の動きがさらに規制されるので、親指による押込み作業を繰返し行ったとしても、親指の関節の過伸展が起こりにくい。
【００１２】
ここで、上記押込み作業の繰返しにより発生する親指の関節部位の疾患は、親指の拇指ＭＰ関節の過伸展や拇指ＣＭ関節の過度の運動が一因となって発生すると考えられ、本発明によれば、親指の関節の過伸展が発生し難くなるので、親指の関節部位における疾患の発生および関節部位の疼痛の発生を抑制することができる。
さらに、本発明によれば、本体部は親指の付け根部分から手首までの第１の領域に配されるので、手首の動きは妨げられず、作業性に優れている。
【００１３】
以上より、本発明によれば、親指の関節における疾患の発生を防止するとともに作業性に優れた作業用サポーターを提供することができる。
【００１４】
本発明は以下の構成であってもよい。
前記挟持部はＶ字状の一対の挟持片を有していてもよい。
保持部材は非伸縮性であるため、保持部材の形状が取り付けられる部位に沿っていないと、保持部材との接触により手に痛みが生じたり、作業に必要な手の動きが阻害されて作業効率を低下させることがある。そこで、上記のような構成とすると、挟持部を親指の付け根部分に沿わせ易くなるので、取り付けた部位に痛みが発生し難く、作業に必要な動きを阻害しない。
【００１５】
前記規制部材には、前記親指の付け根部分に沿って凹んだ凹み部が形成されていてもよい。
規制部材は保持部材と同様に非伸縮性であるため、規制部材が、取り付けられる部位に沿って配されていない場合には、規制部材との接触により手に痛みが生じたり、作業に必要な手の動きを阻害して作業効率を低下させることがある。そこで、上記のような構成とすると、規制部材を、取り付けられる部位（親指の付け根部分）に沿って配することが可能となるので、規制部材が取り付けた部位における痛みが発生し難く、作業に必要な手の動きを阻害しない。
【００１６】
前記筒部は、衝撃吸収材料からなる衝撃吸収層を備えていてもよい。このような構成とすると、親指の付け根部分から指節間関節を保持部材から受ける外力から保護することができる。
【００１７】
前記本体部は、掌側に配される掌部と手の甲側に配される甲部とを有し、前記掌部の小指側の端部に前記サポーター本体を手に固定するベルトを備え、かつ、前記甲部の小指側の端部に前記ベルトを挿通させるベルト通しを備えていてもよい。このような構成とすると、非伸縮材料から構成される本体部を有していても、ベルトにより装着感の調整やサイズの調整が可能となるので、手の大きさごとに種々の規格のものを用意する必要がなくなり、低コストである。
【００１８】
上記構成において、前記ベルトの外側面には、同一面にループとフックを混在して備える第１の面ファスナー部が設けられていてもよい。このような構成とすると、ベルト通しに通したベルトを外側面を内側となるように折り返して、折り返した部分を手側に配されるベルトの外側面に重ねるだけで、折り返した部分とベルトの外側面とが接合され、サポーター本体が手にしっかりと固定される。その結果、このような構成によれば、サポーター本体を手に固定する作業を簡易なものとすることができる。
【００１９】
前記サポーター本体の、前記保持部材および前記規制部材が取り付けられる部分には、第２の面ファスナー部が形成され、前記保持部材の一方の面には前記第２の面ファスナー部と係合可能な第３の面ファスナー部が形成され、かつ前記規制部材の一方の面には前記第２の面ファスナー部と係合可能な第４の面ファスナー部が形成されていてもよい。このような構成とすると、保持部材および規制部材をサポーター本体の所定位置に配置することによりワンタッチで取り付けることができ、保持部材および規制部材の取り付け作業を簡易なものとすることができる。
【００２０】
前記本体部はメッシュ材料からなる構成としてもよい。このような構成とすると、サポーター本体を通気性の良いものとすることができ、むれにくくなる。
【発明の効果】
【００２１】
本発明によれば、親指の関節における疾患の発生を防止するとともに作業性に優れた作業用サポーターを提供することができる。
【図面の簡単な説明】
【００２２】
【図１】実施形態１の作業用サポーターを装着した状態を掌側から見た斜視図
【図２】作業用サポーターを装着した状態を手の甲側から見た斜視図
【図３】サポーター本体を装着した状態を示す斜視図
【図４】保持部材の裏面図
【図５】規制部材の裏面図
【図６】図３に示すサポーター本体に保持部材を取り付けた状態を示す斜視図
【図７】サポーター本体の斜視図
【発明を実施するための形態】
【００２３】
＜実施形態１＞
本発明の実施形態１を図１ないし図７によって説明する。
本実施形態の作業用サポーター１０（以下、「サポーター１０」ともいう）は、図１に示すように、手１に装着されるサポーター本体１１と、サポーター本体１１に取り付けられる保持部材２０と規制部材３０とを備える。
【００２４】
サポーター本体１１は、手１に装着した際に、親指２が配される筒状の筒部１２および、筒部１２から連なり親指２の付け根部分２Ａから手首８までの領域９が配される非伸縮性の本体部１３を有する。サポーター本体１１を手１に装着すると親指２が筒部１２に配され、他の指３，４，５，６は露出状態に配されるようになっている。
【００２５】
サポーター本体１１の外側面には、図１〜図３に示すように、保持部材２０および規制部材３０が取り付けられる部分に対応して面ファスナー１４が縫い付けられている（第２の面ファスナー部１４）。詳しくは、第２の面ファスナー部１４は、サポーター本体１１が装着された親指２の人差し指３側の付け根部分２Ａから母指球７を交差して親指２の手首８側の付け根部分２Ａに至る位置、ならびに、本体部１３の掌部１６の上縁部に沿って親指２の付け根部分２Ａから小指６側に至る位置に形成されている。第２の面ファスナー部１４には、保持部材２０に形成された第３の面ファスナー部２１と、規制部材３０に成された第４の面ファスナー部３１が係合可能とされる。
【００２６】
筒部１２は、肌に接する側の面に発泡クロロプレンゴムなどの衝撃吸収材料からなる衝撃吸収層１２Ｂを備え、外側に配される側の面に面ファスナー層１２Ａを備えている。筒部１２の面ファスナー層１２Ａには保持部材２０に形成した面ファスナー２１（第３の面ファスナー部２１）と規制部材３０に形成した面ファスナー３１（第４の面ファスナー部３１）が係合可能とされ、第２の面ファスナー部１４として機能する。
【００２７】
本体部１３は、図１および図２に示すように、全体としてナイロン製のメッシュ布から構成され、その周縁は縁取り加工により補強されている。この本体部１３を構成するメッシュ布の上には上述した第２の面ファスナー部１４が縫い付けられている。
【００２８】
本体部１３は、掌１Ｂ側に配される掌部１６と手の甲１Ａ側に配される甲部１５とを備え、掌部１６の小指６側の端部には、サポーター本体１１を手１に固定するベルト１７が取り付けられ、甲部１５の小指６側の端部にはプラスチック製のベルト通し１８が取り付けられている（図１、図２および図７を参照）。
【００２９】
ベルト１７の外側面には、同一面にループとフック（図示せず）を混在して備えるタイプの面ファスナー１７Ａが取り付けられており（第１の面ファスナー部１７Ａ）、ベルト１７を、外側面を内側に配して折り曲げると、折り曲げ状態で接合可能とされる（図２を参照）。
【００３０】
サポーター本体１１に取り付けられる保持部材２０は、非伸縮性の材料からなり、図４に示す裏側面（サポーター本体１１に取り付けられる側の面）が、サポーター本体１１に形成された第２の面ファスナー部１４と係合可能な第３の面ファスナー部２１である。保持部材２０は、図４に示すように、全体としてＹ字状をなしている。Ｙ字状の保持部材２０のうち、Ｖ字状の部分は、サポーター本体１１が装着された親指２の付け根部分２Ａを、親指２の側面側から挟持するように配される一対の挟持片２２，２２である（挟持部２２）。挟持部２２から連なるＩ字状の部分２３は、挟持部２２により挟持された親指２を掌１Ｂ側に寄せた状態で保持する保持部２３に相当する。
【００３１】
サポーター本体１１に取り付けられる規制部材３０は、非伸縮性の材料からなり、図５に示す裏側面（サポーター本体１１に取り付けられる側の面）が、サポーター本体１１に形成された第２の面ファスナー部１４と係合可能な第４の面ファスナー部３１である。規制部材３０は、図５に示すように、全体として、Ｉ字状をなし、長手方向の一方の辺には凹み部３２が形成されている。規制部材３０は、凹み部３２をサポーター本体１１が装着された親指２の付け根部分２Ａに沿うように配されて、親指２の人差し指３側の付け根部分２Ａから母指球７を交差して親指２の手首８側の付け根部分２Ａにわたって取り付けられる。
【００３２】
次に、本実施形態の作業用サポーター１０の着脱方法について説明する。
まず、サポーター本体１１を手１に装着する。サポーター本体１１の筒部１２に親指２を挿通させると掌部１６の小指６側の端部にベルト１７が配され、甲部１５の小指６側の端部にベルト通し１８が配される。このとき、親指２の付け根部分２Ａから指節間関節２Ｂが筒部１２に覆われ、親指２の付け根部分２Ａから手首８までの領域９が本体部１３に配される。
【００３３】
次に、本体部１３のベルト１７をベルト通し１８に挿通させて所望の位置で折り返し、折り返した部分１７Ｂをベルト１７の外側面に重ねる（図２を参照）。すると、ベルト１７の外側面に設けた第１の面ファスナー部１７Ａは、同一面にループとフックを混在して備えるタイプの面ファスナーであるから、ベルト１７の外側面を内側に配して折り返した部分１７Ｂを手１側に配されるベルト１７の外側面に重ねることで、折り返した部分１７Ｂと、手１側に配されたベルト１７の外側面（１７Ａ）とが接合され、サポーター本体１１の装着が完了する。サポーター本体１１を手１に装着することで、親指２の２つの関節２Ｃ，２Ｅ（拇指ＭＰ関節２Ｃ、拇指ＣＭ関節２Ｅ）が保持・固定される（図３を参照）。
【００３４】
次に、図４に示す保持部材２０を、図３に示すサポーター本体１１を装着した手１に取り付ける。まず、保持部材２０の一対の挟持片２２，２２を筒部１２の親指２の付け根部分２Ａに沿って配すると、挟持片２２，２２に形成された第３の面ファスナー部２１が、サポーター本体１１に形成された第２の面ファスナー部１４と係合することにより一対の挟持片２２，２２が筒部１２の所定位置に取り付けられる。次に、挟持部２２の取り付けられた親指２を掌１Ｂ側に寄せるように保持部２３を引っ張ってサポーター本体１１の掌１Ｂ側に配する。すると、保持部２３に形成された第３の面ファスナー部２１がサポーター本体１１に形成された第２の面ファスナー部１４と係合して、これにより、親指２が付け根部分２Ａの側面側から挟持されつつ掌１Ｂ側に寄せられた状態で保持・固定される（図６を参照）。ここで、挟持部２２はＶ字状の一対の挟持片２２，２２を有しているから、挟持部２２を親指２の付け根部分２Ａに沿わせ易い。
【００３５】
次に、規制部材３０を取り付ける。規制部材３０の凹み部３２をサポーター本体１１を装着した親指２の付け根部分２Ａ側に配し、親指２の人差し指３側の付け根部分２Ａから母指球７を交差して親指２の手首８側の付け根部分２Ａに至る位置に配する。すると、規制部材３０に形成された第４の面ファスナー部３１がサポーター本体１１に形成された第２の面ファスナー部１４と係合して、これにより、親指２の付け根部分２Ａから手首８に至る部分の動きがさらに規制される（図１を参照）。ここで、規制部材３０には親指２の付け根部分２Ａに沿って凹んだ凹み部３２が形成されているから規制部材３０を親指２の付け根部分２Ａに沿って沿わせやすい。
【００３６】
上述のようにして、本実施形態のサポーター１０を装着すると、サポーター１０が装着された手１の親指２は、サポーター本体１１により保持・固定された状態で掌１Ｂ側に寄せられて保持固定され、かつ、親指２の付け根部分２Ａから手首８に至る部分の動きが規制される状態となる。
【００３７】
手１に装着された本実施形態のサポーター１０は、ベルト１７の接合状態を解除して、ベルト１７をベルト通し１８から外すことにより容易に取りはずすことができる。  
【００３８】
次に本実施形態の作用及び効果について説明する。
本実施形態のサポーター１０を着用して、例えば、親指２による部品の押し込み作業を行う。本実施形態のサポーター１０の装着により、親指２は、サポーター本体１１により保持・固定された状態で掌１Ｂ側に寄せられて保持固定され、かつ、親指２の付け根部分２Ａから手首８に至る部分の動きが規制されるが、親指２以外の指３，４，５，６や手首８は、自在に動かすことが可能である。
【００３９】
したがって、本実施形態の作業用サポーター１０を装着すると、親指２による押込み作業を繰返し行ったとしても、親指２の関節２Ｃ，２Ｅのうち、特に拇指ＭＰ関節２Ｃの過伸展が発生し難くなる。押込み作業の繰り返しにより発生する親指２の関節部位の疾患は親指２の拇指ＭＰ関節２Ｃの過伸展と拇指ＣＭ関節２Ｅの過度の運動が一因となって発生していると考えられるので、本実施形態のサポーター１０の装着により、親指２の関節部位における疾患の発生および関節部位の疼痛の発生を抑制することができる。
【００４０】
本実施形態のサポーター１０の装着により、親指２の動きは上述したように規制されるが、親指２以外の指３，４，５，６や手首８には、動きを制限するものが取り付けられておらず、自在に動かすことが可能であるので、作業性に優れている。
その結果、本実施形態によれば、親指２の関節における疾患の発生を防止するとともに作業性に優れた作業用サポーター１０を提供することができる。
【００４１】
また、本実施形態によれば、挟持部２２はＶ字状の一対の挟持片２２，２２を有しているから、挟持部２２を親指２の付け根部分２Ａに沿わせ易くなり、取り付けた部位に痛みが発生し難く、作業に必要な動きを阻害しない。
【００４２】
また、本実施形態によれば、規制部材３０には、親指２の付け根部分２Ａに沿って凹んだ凹み部３２が形成されているから、規制部材３０を、親指２の付け根部分２Ａに沿って配することが可能となるので、規制部材３０が取り付けた部位における痛みが発生し難く、作業に必要な手１の動きを阻害しない。
【００４３】
また、本実施形態によれば、筒部１２は、肌に接する側の面に柔らかい発泡性の衝撃吸収材料からなる衝撃吸収層１２Ｂを備えるから、肌触りがよく、親指２の付け根部分２Ａから指節間関節２Ｂを、保持部材２０から受ける外力から保護することができる。
【００４４】
また、本実施形態によれば、本体部１３は、サポーター本体１１を手１に固定するベルト１７とベルト通し１８を備えているから、非伸縮材料から構成される本体部１３を有していても、ベルト１７により装着感の調整やサイズの調整が可能となるので、手１の大きさごとに種々の規格のものを用意する必要がなくなり、低コストである。
【００４５】
特に、本実施形態では、ベルト１７の外側面には、同一面にループとフックを混在して備える第１の面ファスナー部１７Ａが設けられているから、ベルト通し１８に通したベルト１７を外側面を内側となるように折り返して、折り返した部分１７Ｂを手１側に配されるベルト１７の外側面に重ねるだけで、折り返した部分１７Ｂとベルト１７の外側面（第１の面ファスナー部１７Ａ）とが接合され、サポーター本体１１が手１にしっかりと固定される。その結果、本実施形態によれば、サポーター本体１１を手１に固定する作業を簡易なものとすることができる。
【００４６】
さらに、本実施形態によれば、サポーター本体１１の、保持部材２０および規制部材３０が取り付けられる部分には、第２の面ファスナー部１４が形成され、保持部材２０の一方の面には第２の面ファスナー部１４と係合可能な第３の面ファスナー部２１が形成され、かつ規制部材３０の一方の面には第２の面ファスナー部１４と係合可能な第４の面ファスナー部３１が形成されているから、保持部材２０および規制部材３０をサポーター本体１１の所定位置に配置することによりワンタッチで取り付けることができ、保持部材２０および規制部材３０の取り付け作業を簡易なものとすることができる。
【００４７】
加えて本実施形態によれば、本体部１３はメッシュ材料からなるので、サポーター本体１１を通気性の良いものとすることができ、むれにくい。
【００４８】
＜他の実施形態＞
本発明は上記記述及び図面によって説明した実施形態に限定されるものではなく、例えば次のような実施形態も本発明の技術的範囲に含まれる。
（１）上記実施形態においては、Ｖ字状の一対の挟持片を有する挟持部を有する保持部材を示したが、Ｉ字状の保持部材の一部に親指を挿通させるスリットを入れて、当該スリットに親指を挿通させて掌部で保持するような構成としてもよい。
【００４９】
（２）上記実施形態においては、親指の付け根部分に沿って凹んだ凹み部が形成されているＩ字状の規制部材を示したが、凹み部のないものであってもかまわない。また規制部材は親指の付け根部分に沿った弧状の形状のものなどであってもよい。
【００５０】
（３）上記実施形態においては、筒部に、発泡クロロプレンゴムからなる衝撃吸収層を備えるものを示したが、衝撃吸収層を構成する材料はこれに限定されない。また、衝撃吸収層は２層構造以上であっても良い。
【００５１】
（４）上記実施形態においては、ベルトとベルト通しを備える本体部を備えるサポーター本体を示したが、サポーター本体を手に固定する手段はベルトに限定されない。例えば本体部にファスナーを取り付けて、ファスナーを閉めることにより手に固定されるようにしてもよい。
【００５２】
（５）上記実施形態においては、外側面に、同一面にループとフックを混在して備える第１の面ファスナー部が設けられているベルトを有するものを示したが、面ファスナーのないベルトをベルト通しにはめ込んで固定されるようにしてもよい。
【００５３】
（６）上記実施形態において、筒部の外側面には全域にわたり面ファスナー部を設けたが、保持部材や規制部材の取り付けられる部分のみに面ファスナー部を設けてもよい。
【００５４】
（７）上記実施形態において、ナイロンメッシュ生地からなる本体部を示したが、本体部の材料はこれに限定されない。本体部の材料は、合成皮革などの材料に通気孔を形成したようなものなどであってもよい。
【符号の説明】
【００５５】
１…手
１Ａ…手の甲
１Ｂ…掌
２…親指
２Ａ…付け根部分
２Ｂ…指節間関節
２Ｃ…拇指ＭＰ関節（拇指中手指節間関節）
２Ｅ…拇指ＣＭ関節（拇指手根中手関節）
７…母指球
８…手首
９…領域（付け根部分から手首までの領域）
１０…サポーター
１１…サポーター本体
１２…筒部
１２Ａ…面ファスナー層（第２の面ファスナー部）
１２Ｂ…衝撃吸収層
１３…本体部
１４…第２の面ファスナー部
１５…甲部
１６…掌部
１７…ベルト
１７Ａ…第１の面ファスナー部
１８…ベルト通し
２０…保持部材
２１…第３の面ファスナー部
２２…挟持部（挟持片）
２３…保持部  
３０…規制部材
３１…第４の面ファスナー部
３２…凹み部
【図１】
0005587106.tif 000002
【図２】
0005587106.tif 000003
【図３】
0005587106.tif 000004
【図４】
0005587106.tif 000005
【図５】
0005587106.tif 000006
【図６】
0005587106.tif 000007
【図７】
0005587106.tif 000008